(57)【特許請求の範囲】
【請求項１】
入口及び出口を備えこれら入口及び出口を介してチューブが挿通されるケースと、
上記ケース内に回転可能に内装され上記挿通されたチューブが巻回されるドラムと、
上記ケースと上記ドラムとの間に設けられ、上記チューブに引張力が作用すると上記ドラムの回転及び上記チューブの引き出しを許容し、該引張力が解除されると弾性復帰力により上記ドラムを逆転させて上記チューブを引き戻す弾性手段と、
を具備し、
上記ケースの上記入口の手前にはチューブ保持部が設けられていて該チューブ保持部によって上記チューブを上記入口の手前で弛んだ状態で保持するようにしたことを特徴とするチューブ引抜・キンク防止具。
【請求項２】
請求項１記載のチューブ引抜・キンク防止具において、
上記ケースには流量調整用のクランプを保持するクランプ保持部が設けられていることを特徴とするチューブ引抜・キンク防止具。
【請求項３】
請求項１又は請求項２記載のチューブ引抜・キンク防止具において、
上記チューブを上記ドラムに押し付けるチューブ押付手段が設けられていることを特徴とするチューブ引抜・キンク防止具。
【請求項４】
請求項１〜請求項３の何れかに記載のチューブ引抜・キンク防止具において、
上記弾性手段は異なる弾性復帰力を備えたものが複数準備されていてその中から任意に選択して使用することを特徴とするチューブ引抜・キンク防止具。
【請求項５】
請求項１〜請求項４の何れかに記載のチューブ引抜・キンク防止具において、
上記弾性手段は渦巻バネであることを特徴とするチューブ引抜・キンク防止具。
【請求項６】
請求項１〜請求項５の何れかに記載のチューブ引抜・キンク防止具において、
上記チューブは点滴チューブであることを特徴とするチューブ引抜・キンク防止具。
【発明の詳細な説明】
【技術分野】
【０００１】
本発明は、例えば、点滴チューブ、挿管チューブ（気管挿管）、透析チューブ、輸血／採血チューブ、カテーテルチューブ等、各種医療用のチューブの引き抜きやキンクを防止するチューブ引抜・キンク防止具に係り、特に、構成の簡略化、低コスト化を図ることができるように工夫したものに関する。
【背景技術】
【０００２】
例えば、各種医療現場、介護施設等では、様々な状態の患者や被介護者がベッド上に寝ている。その際、患者や被介護者に投薬を目的として点滴チューブが接続されていることがある。すなわち、ベッドの脇にスタンドが設置されていて、そのスタンドに点滴袋が吊り下げられている。その点滴袋からは点滴チューブが引き出されていて、その点滴チューブの先端には点滴針が取り付けられている。この点滴針が患者や被介護者の、例えば、腕等に穿刺されている。又、上記点滴チューブの途中には流量調整用のクランプが取り付けられている。
【０００３】
このような状態において、例えば、患者がベッド上で動いたり或いは点滴針が穿刺されている腕や足が動くと、点滴チューブを不用意に引っ張ってしまうことになり、その結果、点滴チューブが患者や被介護者或いは点滴袋から外れてしまうといった事故が発生してしまう。その為、医療現場の看護師や介護現場の介護士は、点滴を施している患者に十分な注意を払って監視しなければならず、大きな負担が掛かってしまうという問題があった。
【０００４】
これに対しては、点滴チューブに十分な弛みを設けておき、その弛みによって、患者の動きや点滴部位の動きを吸収するようにすることも考えられる。ところが、そのような大きな弛みを設けた場合には、その弛んだ部位に患者の身体の一部が引っ掛かってしまうことがあり、それによって点滴チューブが外れてしまうことも懸念されていた。
【０００５】
そこで、これらの問題を解決するものとして、例えば、特許文献１、特許文献２、等がある。
まず、特許文献１に記載された点滴針抜去防止具であるが、一対の面ファスナが連結部材を介して横並びで連結されていて、上記一対の面ファスナのそれぞれのループ面には巻き掛け凸部が設置されている。そして、上記一対の面ファスナを上記巻き掛け凸部が上になるような状態で患者の腕に巻き付け、上記巻き掛け凸部に点滴チューブを巻き掛ける。その状態で、上記一対の面ファスナの夫々のフック面を上記点滴チューブを覆うように被せて上記それぞれのループ面に固着する。
それによって、例えば、上記点滴チューブが強い力で引っ張られても、点滴針が患者の腕から不用意に引き抜かれないようにしている。
【０００６】
次に、特許文献２に記載された輸液セット用脱落防止クランプ及び輸液セットであるが、まず、チューブがあり、このチューブの両端には瓶針と留置針がそれぞれ取り付けられている。上記瓶針は輸液剤が充填された輸液瓶に穿刺され、上記留置針が家畜に穿刺されている。そして、上記輸液瓶に充填された輸液剤を上記チューブを介して上記家畜に点滴する。
その際、上記チューブの一部に伸縮可能なコイル部を設けることにより、その伸縮の範囲内で上記家畜の自由な動作を許容し、上記瓶針や上記留置針が上記輸液瓶や上記家畜から不用意に引き抜かれることを防止している。
また、伸縮可能なコイル部を設けることにより、上記チューブを大きく弛ませておく必要もなくなり、例えば、上記家畜が大きく弛んだチューブに引っ掛かり、上記瓶針や上記留置針が不用意に引き抜かれてしまうことも防止している。
【先行技術文献】
【特許文献】
【０００７】
【特許文献１】特開２００７−２９６０８２号公報
【特許文献２】特開平９−２３９０２６号公報
【発明の概要】
【発明が解決しようとする課題】
【０００８】
上記従来の構成によると次のような問題があった。
まず、特許文献１に記載された点滴針抜去防止具の場合には、一対の面ファスナによって点滴チューブを強固に固定することにより、点滴針の不用意な引き抜きを防止することはできるが、一対の面ファスナを連結部材を介して連結するという大掛かりな構成が必要になってしまうという問題があった。
また、そのような大掛かりなものを患者の腕に巻き付けることにより、患者に不快感を与えてしまうという問題もあった。
また、特許文献２に記載された輸液セット用脱落防止クランプ及び輸液セットの場合には、伸縮可能なコイル部を設けることにより、瓶針や留置針の不用意な引き抜きを防止することはできるが、その伸縮可能なコイル部が高価であるという問題があった。
なお、この種の問題は点滴チューブに限った問題ではなく、例えば、挿管チューブ（気管挿管）等、様々な医療用チューブにおいて同様にいえる問題であった。
【０００９】
本発明はこのような点に基づいてなされたものでその目的とするところは、構成の簡略化、低コスト化を図ることが可能なチューブ引抜・キンク防止具を提供することにある。
【課題を解決するための手段】
【００１０】
上記目的を達成するべく本願発明の請求項1によるチューブ引抜・キンク防止具は、入口及び出口を備えこれら入口及び出口を介してチューブが挿通されるケースと、上記ケース内に回転可能に内装され上記挿通されたチューブが巻回されるドラムと、上記ケースと上記ドラムとの間に設けられ、上記チューブに引張力が作用すると上記ドラムの回転及び上記チューブの引き出しを許容し、該引張力が解除されると弾性復帰力により上記ドラムを逆転させて上記チューブを引き戻す弾性手段と、を具備し、上記ケースの上記入口の手前にはチューブ保持部が設けられていて該チューブ保持部によって上記チューブを上記入口の手前で弛んだ状態で保持するようにしたことを特徴とするものである。
又、請求項２によるチューブ引抜・キンク防止具は、請求項１記載のチューブ引抜・キンク防止具において、上記ケースには流量調整用のクランプを保持するクランプ保持部が設けられていることを特徴とするものである。
又、請求項３によるチューブ引抜・キンク防止具は、請求項１又は請求項２記載のチューブ引抜・キンク防止具において、上記チューブを上記ドラムに押し付けるチューブ押付手段が設けられていることを特徴とするものである。
又、請求項４によるチューブ引抜・キンク防止具は、請求項１〜請求項３の何れかに記載のチューブ引抜・キンク防止具において、上記弾性手段は異なる弾性復帰力を備えたものが複数準備されていてその中から任意に選択して使用することを特徴とするものである。
又、請求項５によるチューブ引抜・キンク防止具は、請求項１〜請求項４の何れかに記載のチューブ引抜・キンク防止具において、上記弾性手段は渦巻バネであることを特徴とするものである。
又、請求項６によるチューブ引抜・キンク防止具は、請求項１〜請求項５の何れかに記載のチューブ引抜・キンク防止具において、上記チューブは点滴チューブであることを特徴とするものである。
【発明の効果】
【００１１】
以上述べたように、本願発明の請求項１によるチューブ引抜・キンク防止具によると、入口及び出口を備えこれら入口及び出口を介してチューブが挿通されるケースと、上記ケース内に回転可能に内装され上記挿通されたチューブが巻回されるドラムと、上記ケースと上記ドラムとの間に設けられ、上記チューブに引張力が作用すると上記ドラムの回転及び上記チューブの引き出しを許容し、該引張力が解除されると弾性復帰力により上記ドラムを逆転させて上記チューブを引き戻す弾性手段と、を具備した構成になっているので、引張力の作用による上記チューブの引き出しを許容しつつ上記チューブの不用意な弛みを防止することができ、それによって、チューブの不用意な引き抜きやキンクを防止することができ、しかも、その構成は簡単で安価である。
また、請求項２によるチューブ引抜防・キンク防止具によると、請求項１記載のチューブ引抜・キンク防止具において、上記ケースには上記チューブを上記入口の手前で弛んだ状態で保持するチューブ保持部が設けられているので、上記チューブの引き出しを許容する弛みを確実に確保することができ、上記効果を安定したものにすることができる。
また、請求項３によるチューブ引抜・キンク防止具によると、請求項１又は請求項２記載のチューブ引抜・キンク防止具において、上記ケースには流量調整用のクランプを保持するクランプ保持部が設けられているので、仮に、上記チューブにクランプが設けられていても、そのクランプを保持することができる。
また、請求項４によるチューブ引抜・キンク防止具によると、請求項１〜請求項３の何れかに記載のチューブ引抜・キンク防止具において、上記チューブを上記ドラムに押し付けるチューブ押付手段が設けられているので、上記ドラムと上記チューブとの間の滑りをなくして動作を確実なものとすることができる。
また、請求項５によるチューブ引抜・キンク防止具によると、請求項１〜請求項４の何れかに記載のチューブ引抜・キンク防止具において、上記弾性手段は異なる弾性復帰力を備えたものが複数準備されていてその中から任意に選択して使用するようにしているので、例えば、点滴チューブの長さや重さ、その他各種状況に応じて適切な弾性復帰力を提供することができる。
また、請求項６によるチューブ引抜・キンク防止具によると、請求項１〜請求項５の何れかに記載のチューブ引抜・キンク防止具において、上記弾性手段は渦巻バネであるので、構成の簡略化と低コスト化を効果的に図ることができる。
また、請求項７によるチューブ引抜・キンク防止具によると、請求項１〜請求項６の何れかに記載のチューブ引抜・キンク防止具において、上記チューブは点滴チューブであるので、点滴の現場において、上記チューブの不用意な引き抜きやキンクを防止して、安全性の向上と、点滴の流れ異常警報発生時に対応する医療従事者の負担軽減を図ることができる。
【図面の簡単な説明】
【００１２】
【図１】本発明の第１の実施の形態を示す図で、点滴装置の全体構成を示す図である。
【図２】本発明の第１の実施の形態を示す図で、チューブ引抜・キンク防止具とクランプの斜視図である。
【図３】本発明の第１の実施の形態を示す図で、チューブ引抜・キンク防止具とクランプの正面図であり、上記クランプを開放した状態を示す図である。
【図４】本発明の第１の実施の形態を示す図で、図３のＩＶ―ＩＶ断面図である。
【図５】本発明の第１の実施の形態を示す図で、チューブ引抜・キンク防止具の正面図であり、上記クランプを絞った状態を示す図である。
【図６】本発明の第１の実施の形態を示す図で、チューブ引抜・キンク防止具の正面図であり、点滴チューブを先端側に引っ張った状態を示す図である。
【図７】本発明の第２の実施の形態を示す図で、チューブ引抜・キンク防止具の正面図である。
【発明を実施するための形態】
【００１３】
以下、図１乃至図６を参照して本発明の第１の実施の形態について説明する。
この第１の実施の形態は、本願発明によるチューブ引抜・キンク防止具を点滴装置に適用した例を示すものである。以下、詳細に説明する。
まず、点滴装置１があり、この点滴装置1には輸液スタンド５がある。この輸液スタンド５は、基台６と、この基台６から上方に出没可能に取り付けられたポール１０とから構成されている。上記基台６の外側からは固定ねじ１２がねじ込まれていて、この固定ねじ１２を緩めることにより、上記ポール１０を適宜出没させてその高さを調整する。
上記基台６には４個の移動用キャスタ１４が取り付けられている。
【００１４】
上記ポール１０の上端には輸液バッグ吊下具８が取り付けられていて、この輸液バッグ吊下具８には輸液バッグ７が吊り下げられている。この輸液バッグ７内には、点滴に用いる薬液９が封入されている。
上記輸液バッグ７には、点滴チューブ１１を介して、点滴管１３が連結されている。この点滴管１３の外周には点滴プローブ１５が設置されている。この点滴プローブ１５には、図示しないセンサが取り付けられていて、この図示しない光センサにより、上記点滴管１３内に滴下される上記薬液９を検出する。その検出信号は輸液ポンプ１９に送信される。
【００１５】
上記点滴管１３には、点滴チューブ２１を介して、点滴針２３が連結されている。また、上記ポール１０にはアーム１８が移動可能に取り付けられていて、このアーム１８には上記輸液ポンプ１９が設置されている。上記アーム１８には固定ねじ２０がねじ込まれていて、この固定ネジを適宜緩めることにより、上記アーム１８を上記ポール１０に沿って上下動させその高さを調整する。上記点滴チューブ２１はこの輸液ポンプ１９内を挿通している。
【００１６】
上記輸液ポンプ１９には、図示しないバッテリと、このバッテリから電力を供給されて動作される図示しないモータと、このモータによって駆動されるローラがあり、この図示しないローラによって上記点滴チューブ２１を図１中下側に扱くことにより、上記点滴チューブ２１内の薬液９を上記点滴針２３側に送る。
【００１７】
上記点滴針２３は、患者２５の下腕部２７に穿刺されていて、その状態で固定テープ２４によって固定されている。そして、上記薬液９は上記点滴針２３を介して、上記患者２５の体内に注入される。
【００１８】
上記点滴プローブ１５は、ケーブル群２９を介して、上記輸液ポンプ１９と接続されていて、上記点滴プローブ１５からの信号はこのケーブル群２９の信号ケーブルを介して上記輸液ポンプ１９に送られる。また、上記輸液ポンプ１９から上記ケーブル群２９の電源ケーブルを介して上記点滴プローブ１５に電力が供給される。
【００１９】
また、図１乃至図３に示すように、上記点滴チューブ２１には、流量調整用のクランプ３１が設置されている。このクランプ３１は、クランプ本体３３と、このクランプ本体３３に移動可能に設置されたローラ３５とから構成されている。上記クランプ本体３３は中空形状の部材で、その内部を上記点滴チューブ２１が挿通している。また、図４に示すように、クランプ本体３３の内側の両側面（図４中上側の面と下側の面）には、それぞれローラ移動用溝３７、３７が形成されている。また、図３に示すように、上記ローラ３５の幅方向両端（図３中紙面垂直方向両側）には、軸３９、３９（図３中紙面垂直方向奥側の軸３９については図示せず）が突設されており、これら軸３９、３９は、上記ローラ移動用溝３７、３７に係合されている。上記ローラ３５は、上記軸３９、３９を介して上記ローラ移動用溝３７、３７に沿って移動可能な構成になっている。
【００２０】
また、例えば、図３に示すように、上記ローラ移動用溝３７の基端側（図３中下側）は、図３中左右方向に拡開されており、上記ローラ用転動溝３７の内側には傾斜面４１が形成されている。そして、上記ローラ３５を先端側（図３中上側）に移動させると、上記ローラ３５は上記傾斜面４１によって図３中左側に移動される。このとき、上記ローラ３５と上記クランプ本体３３の底面４３との間に挟まれている点滴チューブ２１は、図５に示すように、潰されている。これによって、上記点滴チューブ２１内を流れる薬液９の流量は減少する。これに対して、上記ローラ３５を基端側（図３中下側）に移動させると、ローラ３５は点滴チューブ２１の弾性復帰力によって外方に付勢され、その結果、上記点滴チューブ２１は潰されず、上記点滴チューブ２１内を流れる薬液９の流量は増大する。つまり、上記ローラ３５を先端側又は基端側に適宜移動させることにより点滴チューブ２１内を流れる薬液９の流量を調整することができる。
なお、流量調整の方法としては、既に説明したように、点滴プローブ１５と輸液ポンプ１９とによって、予め設定された流量に自動的に調整する方法、例えば、看護師が点滴プローブ１５における滴下の様子を視認し、それに基づいて、クランプ３１のローラ３５を手動操作して流量を調整する方法、等、何れの方法でも良い。
【００２１】
また、輸液スタンド５の基台６には、図示しない取付具を介して、点滴チューブ引抜・キンク防止具２２が設置されている。この点滴チューブ引抜・キンク防止具２２は、次のような構成となっている。
まず、例えば、図２に示すように、ケース５１がある。このケース５１は低背器形状を成していて、略正方形の底板５３と、この底板５３の外周側から図２中左下側に突出・形成された略Ｌ字形の側壁５５、５７とから構成されている。上記側壁５５、５７の間には、入口５９と出口６１が形成されており、上記点滴チューブ２１は、上記入口５９から上記ケース５１内に挿入され、上記出口６１から上記ケース５１の外部へ引き出されている。
【００２２】
また、上記側壁５５の図２中下側には、蝶番部６３を介して、蓋６５が回動可能に設置されている。この蓋６５によって、上記ケース５１の図２中左下側の開口部を閉じることができる。上記蓋６５の図２中下側には、図２中左下側に向けて蓋係合用凸部６７、６９が突出・形成されており、上記蓋６５を閉じた際には、上記蓋係合用凸部６７が上記側壁５５の図２中左上の角部の内側に係合され、上記蓋係合用凸部６９が上記側壁５７の図２中右上の角部の内側に係合されて、上記蓋６５が固定される。
【００２３】
また、上記側壁５５の図２中左側には、上記側壁５５の図２中上下端側からそれぞれ図２中左上側に突出された点滴チューブ保持部７３、７５が形成されている。上記点滴チューブ保持部７３には点滴チューブ係合用凹部７７が形成されており、上記点滴チューブ保持部７５には点滴チューブ係合用凹部７９が形成されている。上記クランプ３１を上記点滴チューブ保持部７３、７５の間に位置させ、上記点滴チューブ２１の先端側を上記点滴チューブ係合用凹部７７に係合させ、上記点滴チューブ２１の後端側を上記点滴チューブ係合用凹部７９に係合させる。それによって、上記点滴チューブ保持部７３、７５の間に上記クランプ３１が収容・保持されることになる。
【００２４】
また、例えば、図２に示すように、上記底板５３の中央には、軸８１が突設成されている。この軸８１には、渦巻バネ係合用スリット８３が形成されている。
【００２５】
上記ケース５１内には、ドラム８５が上記軸８１に対して回転可能に設置されている。上記ドラム８５は、図４に示すように、底板８４と、この底板８４から上方に突出されたリング状の円筒部８６とから構成される。上記ドラム８５の外周側には、図２に示すように、点滴チューブ巻回用凹部８７が形成されている。上記点滴チューブ２１はこの点滴チューブ巻回用凹部８７に収容された状態で上記ドラム８５に巻回されている。
また、図６に示すように、上記点滴チューブ２１は、上記点滴チューブ保持部７３と上記ドラム８５との間で、所定量だけ弛んだ状態で保持されている。
【００２６】
また、上記ドラム８５の、上記底板８４と上記円筒部８６とによって囲まれた内側空間が渦巻バネ収納用凹部８９となっている。図４に示すように、上記底板８４の中心には貫通孔９１が形成されている。上記ドラム８５はこの貫通孔９１に軸８１を通した状態で設置されている。また、例えば、図２に示すように、上記底板８４には渦巻バネ係合用凸部９３が突出・形成されている。
【００２７】
上記ドラム８５の渦巻バネ収納用凹部８９内には、弾性手段として渦巻バネ（いわゆる「ぜんまい」）９５が設置されている。この渦巻バネ９５の一端側は上記軸８１の渦巻バネ係合用スリット８３に係合・固定されており、他端側は上記渦巻バネ係合用凸部９３に係合・固定されている。上記ドラム８５が図３中反時計回り方向に回転されると、上記渦巻バネ９５に弾性復帰力が蓄勢されることになる。
【００２８】
また、上記ケース５１内には、点滴チューブ押付手段９７が設置されている。この点滴チューブ押付手段９７は、一端側が上記ケース５１の側壁５５に固着された板バネ９９と、この板バネ９９の他端側に固着された軸受部１０１と、上記軸受部１０１の先端側に回転可能に設置された点滴チューブ押付ローラ１０３とから構成されている。
上記点滴チューブ２１は、上記板バネ９９の弾性力によって上記点滴チューブ押付ローラ１０３を介して、上記ドラム８５に押圧・付勢されており、これにより、上記点滴チューブ２１と上記ドラム８５との間の滑りが防止されている。
なお、上記点滴チューブ引抜・キンク防止具２２を構成する各部品は渦巻きバネ９５以外は全て樹脂製であり、例えば、ポリスチレン樹脂、ＡＢＳ樹脂、ポリプロピレン樹脂、等が考えられる。
【００２９】
次に、この第１の実施の形態による作用について説明する。
まず、輸液ポンプ１９を作動させると、輸液パック７内の薬液９が点滴チューブ１１、２１、点滴針２３を介して、患者２５の下腕部２７に注入される。
その際、点滴プローブ１５によって、点滴管１３内に滴下される上記薬液９の量が検出され、輸液ポンプ１９はその信号に基づいて流量を算出する。輸液ポンプはその産出した流量と予め設定されている流量を比較し、流量が予め設定された流量になるように、輸液ポンプ１９内のモータを制御する。
なお、クランプ３１のローラ３５を手動操作することによっても上記点滴チューブ２１内を流通する上記薬液９の量を調整することもできる。
【００３０】
ところで、上記点滴針２３は上記患者２５の下腕部２７に固定されているため、上記患者２５が上記下腕部２７を移動させると、上記点滴チューブ２１を先端側（図５中右側）に引っ張ってしまうことがある。
上記点滴チューブ２１にそのような引張力が作用すると、点滴針２３の不用意な引抜が懸念されるが、本実施の形態の場合には、これを点滴チューブ引抜・キンク防止具２２が防いでいる。すなわち、上記点滴チューブ２１が引っ張られた場合には、図６に示すように、点滴チューブ引抜・キンク防止具２２のドラム８５が図５中反時計回り方向に回転され、且つ、点滴チューブ２１が引き出される。それによって、点滴チューブ２１や点滴針２３に大きな負荷が作用することはなく、点滴針２３の不用意な引き抜きも防止される。
【００３１】
上記ドラム８５が図５中反時計回り方向に回転されると、渦巻バネ９５に弾性復帰力が蓄勢される。そして、上記患者２５の下腕部２７が元の位置に戻されると、上記渦巻バネ９５の蓄勢された弾性復帰力の作用により、上記ドラム８５が図５中時計方向に回転し、且つ、上記引き出された点滴チューブ２１が基端側（図５中左側）に引き戻されて元の状態に戻る。
【００３２】
なお、上記点滴チューブ２１は、図６に示すように、上記点滴チューブ保持部７３と上記ドラム８５との間で、弛んだ状態で保持されているので、先端側に引き出されてもその弛みの範囲内であれば、クランプ３１側に影響を与えることはない。
【００３３】
次に、この第１の実施の形態による効果について説明する。
まず、構成の簡略化と低コスト化を図ることができる。すなわち、本実施の形態による点滴チューブ引抜・キンク防止具２２は、基本的には、ケース５１と、点滴チューブ２１が巻回されるドラム８５と、渦巻バネ９５のみから構成されており、その構成は極めて簡単である。又、従来のコイル状のチューブのような高コストの部品もなく、低コスト化を図ることができる。
また、上記点滴チューブ２１は、引き出された後、上記渦巻きバネ９５の弾性復帰力により、確実に元の状態に引き戻されるので、上記点滴チューブ２１が引き出されたまま不用意に弛んでしまうようなことを防止することができる。
また、上記点滴チューブ２１は、上記点滴チューブ保持部７３と上記ドラム８５との間で所定量弛んだ状態で保持されていて、この弛みの範囲内で上記点滴チューブ２１が引き出されるので、クランプ３１側に影響をあたえることもない。
又、点滴チューブ引抜・キンク防止具２２によって点滴チューブ２１の引き出しは許容されているので、点滴針２３と点滴チューブ引抜・キンク防止具２２との間で点滴チューブ２１を弛ませておく必要はなく、患者が弛んだ点滴チューブ２１に手や足を引っ掛けて引っ張ってしまうようなこともない。
また、上記点滴チューブ２１は、点滴チューブ押付手段９７によって、上記ドラム８５に押し付けられているので、上記点滴チューブ２１と上記ドラム８５との間に滑りが発生することはなく、動作を確実なものとすることができる。
【００３４】
次に、図７を参照して本発明の第２の実施の形態を説明する。前記第１の実施の形態の場合は、ケース５１に対して蓋６５をヒンジ部６３を介して回動可能に設けた構成を例に挙げて説明したが、この第２の実施の形態の場合には、蓋６５とケース５１が予め一体成形されている構成を例に挙げて説明するものである。
【００３５】
図７に示すように、ケース５１に対して蓋６５が予め一体成形されている。但し、蓋６５の一部、すなわち、点滴チューブ２１が通る部分だけ図７中上面側に開口されていて開口部６５ａとなっている。その他の構成は前記第１の実施の形態の場合と同じであり、図中同一部分には同一符号を付して示しその説明を省略する。
【００３６】
そして、点滴チューブ２１をケース５１内から出し入れする場合には、上記開口部６５ａを介して行う。すなわち、点滴チューブ押付ローラ１０３を図７中左下側に押し戻し、開口部６５ａを開放した状態で、上記点滴チューブ２１の出し入れを行うものである。
【００３７】
よって、前記第１の実施の形態の場合と同様の効果を奏することができると共に、ケース５１及び蓋６５からなる外筐の構成を簡略化させて、コストの低減を図ることができる。
【００３８】
なお、本発明は前記第１、第２の一実施の形態に限定されない。
まず、ケースにチューブをガイドするガイドローラを設置することも考えられる。
また、ドラムの渦巻バネ収納用凹部を閉塞する蓋を設けることも考えられる。
また、ケースにクランプを収容・保持できるクランプ保持部を設けることも考えられる。
また、異なる弾性復帰力を備えた複数種類の渦巻きバネを用意しておき、例えば、点滴チューブの長さや重さ、その他各種状況に応じて、その中から適切なものを任意に選択して使用するように構成することも考えられる。
また、弾性手段として、板バネやコイルバネを使用することも考えられる。
また、点滴チューブ引抜防止具の材質はこれを特に限定するものではない。
また、点滴チューブ押付手段の構成としては図示したものに限定されず、単なる板バネ、ゴム、スポンジ、等、様々な構成が考えられる。
また、点滴チューブ以外にも、挿管チューブ（気管挿管）、透析チューブ、輸血／採血チューブ、カテーテルチューブ、等、その他の各種医療用のチューブに適用することも考えられる。
【産業上の利用可能性】
【００３９】
本発明は、例えば、点滴チューブ、挿管チューブ（気管挿管）、透析チューブ、輸血／採血チューブ、カテーテルチューブ、等、各種医療用のチューブの引き抜きを防止するチューブ引抜防止具に係り、特に、構成の簡略化、低コスト化を図ることができるように工夫したものに関し、例えば、介護現場における点滴装置に好適である。
【符号の説明】
【００４０】
１１  点滴チューブ（チューブ）
２１  点滴チューブ（チューブ）
２２  点滴チューブ引抜・キンク防止具（チューブ引抜・キンク防止具）
５１  ケース
５９  入口
６１  出口
３１  クランプ
７３  点滴チューブ保持部(チューブ保持部)
７５  点滴チューブ保持部(チューブ保持部)
８５  ドラム
９５  渦巻バネ（弾性手段）
９７  点滴チューブ押付手段（チューブ押付手段）
９９  板バネ
１０１  軸受部
１０３  点滴チューブ押付ローラ
【図１】
0006656873.tif 000002
【図２】
0006656873.tif 000003
【図３】
0006656873.tif 000004
【図４】
0006656873.tif 000005
【図５】
0006656873.tif 000006
【図６】
0006656873.tif 000007
【図７】
0006656873.tif 000008